(57)【要約】  【課題】  小型かつ軽量であり携帯性に優れ、実用的に利用可能な、携帯可能なデジタル放送受信装置を提供する。  【解決手段】  放送受信機能付携帯電話装置１００は、携帯電話装置とデジタル放送受信装置とを有する。デジタル放送受信装置における記録形式選択手段１１６は、指定された記録形式に従って、または、放送番組の内容に従って、トランスポートストリーム（ＴＳ）分離部１０５で分離された映像信号、音声信号、データ信号のいずれかを、記録開始時間から記録終了時間まで、不揮発性半導体メモリなどの記録手段１１７に記録して、記録手段１１７に記録されるデータ信号の量の適正化を図り、放送受信機能付携帯電話装置１００のバッテリの消費電力の低減を図る。【選択図】    図１
2006014224.tif 000002
【特許請求の範囲】
【請求項１】
映像信号、音声信号、データ信号が多重化されたストリームを受信して出力するように構成されたデジタル放送受信装置において、
受信したストリームに含まれる映像信号、音声信号、データ信号をそれぞれ分離する分離手段と、
該分離手段で分離した信号のいずれの信号を記録するかを指定する指定手段と、
該指定手段の指定に基づいてストリームに含まれる信号を記録する記録手段と、
を備えることを特徴とするデジタル放送受信装置。
【請求項２】
前記指定手段は、記録する番組内容に基づいて記録する信号を指定することを特徴とする
請求項１に記載のデジタル放送受信装置。
【請求項３】
前記指定手段がデータ信号の記録を指定している場合、前記記録手段は記録対象の番組を間欠的に受信して当該番組のデータ信号を記録することを特徴とする
請求項１記載のデジタル放送受信装置。
【請求項４】
前記指定手段がデータ信号の記録を指定している場合、前記記録手段は記録対象の番組の最後のデータ信号のみを記録することを特徴とする
請求項１記載のデジタル放送受信装置。
【請求項５】
記録する番組を予約する予約手段と、
該予約手段で予約した番組が前記記録手段に全て記録可能であるか否かを予測する予測手段と、
を備え、
前記予測手段により全て記録不可能であると予測された場合、前記記録手段は当該記録対象の番組の最後のデータ信号のみを記録することを特徴とする
請求項１記載のデジタル放送受信装置。
【請求項６】
前記記録手段は、記録中に該記録手段の残容量を監視し該残容量が所定値を超えた場合、前記記録動作を停止して当該番組の最後のデータ信号のみを記録することを特徴とする
請求項１記載のデジタル放送受信装置。
【請求項７】
前記指定手段は、映像信号、音声信号、データ信号のいずれの信号の組み合わせで記録するかを指定することを特徴とする
請求項１記載のデジタル放送受信装置。
【請求項８】
無線通信網に接続する通信手段と、
該通信手段を介して着信を検出する検出手段と、
前記記録中に着信を検出した際の着信処理動作を設定する設定手段と、
前記記録中に着信を検出した際に前記設定手段の設定に基づいて着信処理を行う制御手段と、
を備えたことを特徴とする
請求項１記載のデジタル放送受信装置。
【発明の詳細な説明】
【技術分野】
【０００１】
本発明はデジタル放送が受信可能なデジタル放送受信装置に関する。
より特定的には、本発明はデジタル放送内容を記録し再生可能な装置に関する。
【背景技術】
【０００２】
近年、携帯電話装置に代表される移動体端末装置における電子通信技術の進展は著しく、かつ、利便性に起因してそのような移動体端末装置が多機能化しかつ高機能化し、移動体端末装置の利用範囲が拡大している。多機能化及び高機能化の例としては、たとえば、インターネット接続などの通信機能や、電子メールの機能、ゲーム、音楽再生、ＦＭ放送の受信などがある。
【０００３】
ところで、衛星放送および地上波放送のデジタル化が進み、高画質化や、視聴者参加型のインタラクティブ（対話型）放送、データ放送などが可能なデジタル放送が現実化しており、これまでの音声と映像による放送に加えて、天気予報、株式情報、各種ニュースなどのデータ放送もデジタル化されて放送されるようになっている。
【０００４】
また、テレビチューナーを内蔵している携帯電話機は、たとえば、特許文献１に示すように知られているが、地上波デジタル放送または衛星デジタル放送では、主に、携帯性の高い小型受信機向けに、１または３、セグメントの伝送帯域を使用した放送が予定されている。
【０００５】
かかる状況から、上述したデジタル放送を受信し、再生し、記録可能な装置を、移動体端末装置に代表される携帯電話装置と一体的に統合して１個の装置として構成することが望ましい。
しかしながら、既存の携帯電話装置と、上述したデジタル放送受信装置とを単に合体統合しただけでは、バッテリの電力容量と寿命、記録容量などの制約を克服することができない。
【０００６】
携帯電話装置と、デジタル放送を受信可能な装置とを既存の方法で一体構成した場合を想定したデジタル放送受信装置の構成の１例を、図９を参照して述べる。
アンテナ７１３、送受信部７１４、不揮発性メモリ７１５、カメラ７１６、操作部７１７、マイクロフォン（ＭＩＣ）７１１は、携帯電話装置としての基本的な機能を満足するためのものである。
【０００７】
図９に図解したデジタル放送受信装置の構成について述べる。
放送波を受信するためのアンテナ７０１で放送波を受信し、指定された番組に周波数を合わせるためのチューナー部７０２によりチャンネル選択を行い、チューナー部７０２で抽出された信号を復調部７０３で復調し、復調部７０３からトランスポートストリーム（ＴＳ）を出力する。なお、ＴＳとは、映像信号（ビデオ信号）、音声信号（オーディオ信号）、データ信号ごと多重化された情報である。ＴＳの具体例については、図２を参照して本発明の実施の形態の説明に関連づけて述べる。
復調部７０３から出力されるトランスポートストリーム（ＴＳ）が暗号化されている場合には、デスクランブラ７０４にて解読を行なう。
解読されたトランスポートストリーム（ＴＳ）はＴＳ分離部７０５にて、それぞれ映像信号、音声信号、データ信号へ分離される。
ＴＳ分離部７０５で分離された映像信号は映像信号復号部７０７でデコード（復号）されて表示部７０９に映像として表示される。ＴＳ分離部７０５で分離された音声信号は音声信号復号部７０６にて復号されてスピーカ７１０から音として出力される。ＴＳ分離部７０５で分離されたデータ信号はデータ信号処理部７０８にて処理をされ表示データに変換されて表示部７０９に文字、数字、図形などの形態で表示される。
制御部７１２は、チューナー部７０２の選局制御を行なったり、携帯電話装置の制御を行う。
【０００８】
上述したデジタル放送受信装置により、デジタル放送の記録を行なう際には、指定された時間に指定された番組を前述の様に再生した映像信号と音声信号を再符号化し記録する方法や、トランスポートストリーム自体を記録することができる。
【特許文献１】特開２０００−９９２０号公報
【発明の開示】
【発明が解決しようとする課題】
【０００９】
しかしながら、移動体用の装置と上述したデジタル放送受信装置とを一体構成しただけでは、下記に述べる課題に遭遇する。
従来のデジタル放送における番組記録方法は、指定された時間に、指定された番組内容の全てをメモリに記録するため、記録のために多くのメモリを必要とする。また、大容量のメモリを必要とする。
かりに多数のメモリまたは大容量のメモリを用いたとしても、バッテリ（蓄電池）の消費電力が大きくなるという問題に遭遇する。
また、内蔵する記録媒体のメモリ容量が小さい場合、結果的に記録時間が短くなり、スポーツ番組など長時間にわたる番組を記録する場合などは、その結果まで記録することが不可能であり、上述した番組を最後まで記録するためには多大なコストのメモリを搭載しなければならないという欠点があった。
【００１０】
本発明の目的は、小型かつ軽量であり携帯性に優れ、実用的に利用可能なデジタル放送受信装置を提供することにある。
本発明の他の目的は、好ましくは、上記課題を克服し、移動体用に適したデジタル放送受信装置を提供することにある。
【課題を解決するための手段】
【００１１】
放送における番組（コンテンツ）は、スポーツ、音楽、ドラマ、映画、ニュース、バラエティ、アニメなど多様化してはいるが、映画やドラマ、アニメなど筋だって視聴しないと内容がわからないものもあれば、スポーツやニュースなど結果のみを見れば、途中経過は見なくともよいものもある。
スポーツやニュース番組においては、その結果のみを記録できれば、大半のユーザは満足するものであり、逆に結果を記録できないと大きな不満となるケースが多い。
また、音楽番組などは、記録されたものを後で聞く場合に、映像を必要としないケースも考えられ得る。
このように、放送の番組種別によって、放送内容全てを記録する必要があるものと無いものに分かれることが考えられる。
また、映像、音声と同時にデータ放送されている場合には、データは映像、音声の補完的役割をなしていることより（たとえば、野球中継の得点経過など）、データ放送については、放送されているデータ信号を常に記録している必要はない。
本願発明はかかる放送内容の特性を考慮して、効果的かつ有用性（実用性）の高い、デジタル放送受信装置を提供する。
【００１２】
本発明によれば、映像信号、音声信号、データ信号が多重化されたストリームを受信して出力するように構成されたデジタル放送受信装置において、受信したストリームに含まれる映像信号、音声信号、データ信号をそれぞれ分離する分離手段と、該分離手段で分離した信号のいずれの信号を記録するかを指定する指定手段と、該指定手段の指定に基づいてストリームに含まれる信号を記録する記録手段と、を備えることを特徴とするデジタル放送受信装置が提供される。
【００１３】
好ましくは、前記指定手段は、記録する番組内容に基づいて記録する信号を指定することを特徴とする。
【００１４】
また好ましくは、前記指定手段がデータ信号の記録を指定している場合、前記記録手段は記録対象の番組を間欠的に受信して当該番組のデータ信号を記録することを特徴とする。
【００１５】
さらに好ましくは、前記指定手段がデータ信号の記録を指定している場合、前記記録手段は記録対象の番組の最後のデータ信号のみを記録することを特徴とする。
【００１６】
また好ましくは、記録する番組を予約する予約手段と、該予約手段で予約した番組が前記記録手段に全て記録可能であるか否かを予測する予測手段と、を備え、前記予測手段により全て記録不可能であると予測された場合、前記記録手段は当該記録対象の番組の最後のデータ信号のみを記録することを特徴とする。
【００１７】
好ましくは、前記記録手段は、記録中に該記録手段の残容量を監視し該残容量が所定値を超えた場合、前記記録動作を停止して当該番組の最後のデータ信号のみを記録することを特徴とする。
【００１８】
また好ましくは、前記指定手段は、映像信号、音声信号、データ信号のいずれの信号の組み合わせで記録するかを指定することを特徴とする。
【００１９】
さらに好ましくは、無線通信網に接続する通信手段と、該通信手段を介して着信を検出する検出手段と、前記記録中に着信を検出した際の着信処理動作を設定する設定手段と、前記記録中に着信を検出した際に前記設定手段の設定に基づいて着信処理を行う制御手段と、を備えたことを特徴とする。
【発明の効果】
【００２０】
本発明のデジタル放送受信装置によれば、放送内容に則した記録形式を選択することができるように構成したので、低消費電力で、かつ、記憶容量を削減することができる。
【発明を実施するための最良の形態】
【００２１】
図面を参照して、デジタル放送を受信し、受信した放送内容を再生して出力し、受信した放送内容のうち希望するものを希望する形式で記録（記憶）でき、記録した放送内容を再出力可能な、本発明のデジタル放送受信装置の好適な実施の形態について述べる。
本発明のデジタル放送受信装置の好適な例示として、当該デジタル放送受信装置と移動体用の装置に代表される携帯電話装置とを統合した装置構成について例示する。本発明に基づき、デジタル放送受信装置と携帯電話装置とを統合した装置を、以下、放送受信機能付携帯電話装置と呼ぶ。
本発明のデジタル放送受信装置の実施の形態として、放送されている放送波は地上波デジタル放送などを例示する。
【００２２】
第１実施の形態
図１は本発明の第１実施の形態の放送受信機能付携帯電話装置の構成図である。
図１に示す放送受信機能付携帯電話装置１００は、共通部と、携帯電話装置の部分と、デジタル放送受信装置の部分とを備えている。
放送受信機能付携帯電話装置１００は、共通部として、制御部１１２と、ＲＡＭ１２１と、ＲＯＭ１２２と、操作部１１５と、表示部１０９と、記録手段１１７と、スピーカ１１０とを有する。
放送受信機能付携帯電話装置１００は、携帯電話装置の機能を実現する部分として、上記の共通部の他に、携携帯電話用アンテナ１１３と、無線通信部１１４と、マイクロフォン（ＭＩＣ）１１１とを有する。携帯電話装置部分として、必要に応じて、レンズ、ＣＣＤ、焦点自動調整および照度自動調整などの処理を行う調整部などからなるカメラ部分１２６を付加することができる。
放送受信機能付携帯電話装置１００は、デジタル放送受信装置の機能を実現する部分として、上記の共通部の他に、デジタル放送受信用アンテナ１０１と、チューナー部１０２と、復調部１０３と、トランスポートストリーム（ＴＳ）分離部１０５と、音声信号復号部１０６と、映像信号復号部１０７と、データ信号処理部１０８と、記録形式選択手段１１６とを有する。放送受信機能付携帯電話装置１００は、放送内容がスクランブル処理されている場合にデスクランブルするため、必要に応じて、デスクランブラ１０４を付加することができる。
【００２３】
共通部の各構成部分について述べる。
制御部１１２は、たとえば、マイクロコンピュータを用いて実現されており、ＲＯＭ１２２に記憶されている各種プログラムに従って、携帯電話装置としての制御処理と、デジタル放送受信装置としての制御処理を行う。ＲＡＭ１２１は制御部１１２の処理に使用する各種データなどを一時的に記憶する。
このように、携帯電話装置の制御手段とデジタル放送受信装置の制御手段とは、制御部１１２、ＲＡＭ１２１、ＲＯＭ１２２を共用することができる。
【００２４】
操作部１１５も、携帯電話装置として使用するための操作と、デジタル放受信装置として使用するための操作とが共に兼用可能なように構成されている。
携帯電話装置として使用する素子としては、テンキー、ファンションキー、各種の選択ボタンなどがある。またカメラ部分１２６を有している場合には、カメラ操作スイッチなども含まれる。
デジタル放送受信装置として使用するものとしては、選局のための操作スイッチ、記録形式選択手段１１６を介して記録手段１１７に記録すべき対象、すなわち、音声信号か、映像信号か、データ信号か、またはこれらの組み合わせかの選択、記録開始時間と終了時間、記録した情報の削除指示、その他があるが、テンキー、ファンションキーと上記各種の選択ボタンとを兼用して使用することができる。
【００２５】
表示部１０９は、たとえば、携帯電話装置に広く使用されている液晶表示器であり、携帯電話装置の表示手段としての他、デジタル放送受信装置の表示手段として両者に併用する。表示例を図３（ａ）〜（ｄ）に例示しており、その詳細は後述する。
【００２６】
スピーカ１１０も同様に、携帯電話装置の音声信号出力手段として、および、デジタル放送受信装置の音声信号出力手段として併用する。
なお、本明細書において、音声信号というとき、音声と各種音響を含む、広い意味での「音の信号」を意味する。
【００２７】
記録手段１１７は、たとえば、不揮発性メモリを用いた内蔵または取り外し可能（交換可能な）メモリであり、デジタル放送受信装置の記録手段として使用する他、携帯電話装置のカメラ部分１１６で撮像した画像、電話機として必要な電話帳データ、着信報知等に必要な着信用サウンドデータ、電子メールのデータ、無線部等を介して無線通信網から受信したデータの保存などに使用可能（共有可能）である。
【００２８】
携帯電話装置の動作
放送受信機能付携帯電話装置１００を携帯電話装置として使用するときの基本動作を述べる。
たとえば、相手の携帯電話装置と通常の会話、電子メールなどを行うとき、携帯電話用アンテナ１１３、無線通信部１１４、操作部１１５、ＭＩＣ１１１と、スピーカ１１０、表示部１０９、制御部１１２、ＲＡＭ１２１、ＲＯＭ１２２が動作する。
さらに、たとえば、インターネットを介してプロバイダから情報をダウンロードしその情報を保存するときは記録手段１１７も動作する。
なお、デジタル放送受信装置が動作していない場合、制御部１１２は、デジタル放送受信装置に係わる部分の電源をオフ状態にするなど省電力化を図る。
【００２９】
ユーザが電話をかけるとき、ユーザが操作部１１５を用いて相手側携帯電話装置の番号にダイヤルして発呼すると、制御部１１２の制御のもとで無線通信部１１４と携帯電話用アンテナ１１３を介して基地局に無線接続され、相手側（被呼側）の電話機（携帯電話装置を含む）に接続されて、ＭＩＣ１１１とスピーカ１１０を用いて通話を行うことができる。
操作部１１５の操作内容、通話状態などが制御部１１２の制御のもとで表示部１０９に表示される。
【００３０】
また、インターネットを介してプロバイダから情報をダウンロードして記録手段１１７に記憶するとき、携帯電話用アンテナ１１３、無線通信部１１４を介して無線通信し、得られた情報を制御部１１２を介して記録手段１１７に保存し、保存した情報を制御部１１２から表示部１０９に表示することができる。
【００３１】
携帯電話装置をカメラとして使用するときは、上述したカメラ部分１１６を動作させる。その撮像結果を、たとえば、記録手段１１７に保持することができる。すなわち、放送受信機能付携帯電話装置１００を用いると、記録手段１１７にカメラ部分１２６で撮像した画像を保持することができ、携帯電話装置にデジタルカメラとしての機能を備えることができる。
【００３２】
デジタル放送受信装置の動作
デジタル放送受信用アンテナ１０１はデジタル放送波を常時、連続的に受信し、チューナー部１０２は、操作部１１５で選択されて、制御部１１２から指令されたチャンネルを選局して、選局したチャンネルの放送内容、すなわち、トランスポートストリーム（ＴＳ）を復調部１０３に出力する。
復調部１０３は、選局されたチャンネルのトランスポートストリーム（ＴＳ）を復調する。
【００３３】
復調されたトランスポートストリーム（ＴＳ）にスクランブルがかかっている場合には、デスクランブラ１０４にてスクランブルの解除を行なう。
すなわち、特定のデジタル放送受信装置のみが再生できることを許可する（限定受信方式の暗号化された放送を解読する）ためのデスクランブラ１０４は、トランスポートストリーム（ＴＳ）がスクランブル処理されている場合、制御部１１２の指示のもとで動作してスクランブル処理方式に則したデスクランブル処理を行う。
【００３４】
トランスポートストリーム（ＴＳ）は、例示的なＴＳを図２に図解したように、音声信号と、映像信号と、データ信号と、番組情報とがパケット単位で多重化されている。
たとえば、音声信号と映像信号とはＭＰＥＧ方式で圧縮符号化されている。
【００３５】
上記トランスポートストリーム（ＴＳ）信号は、ＴＳ分離部１０５にて、各パケットごと、映像信号、音声信号（音声／音響信号）、データ信号、番組情報に分離される。
分離された映像信号は、映像信号復号部１０７にて、たとえば、ＭＰＥＧ方式で復号されて映像として表示手段１０９に表示される。
分離された音声信号は、音声信号復号部１０６にて、たとえば、ＭＰＥＧ方式で復号され、音声および／または音響としてスピーカ１１０から出力される。
分離されたデータ信号は、データ信号処理部１０８でその内容を解析し、データ信号の内容が放送サービスに関係しているものである場合には、表示手段１０９などにおいて表示・再生可能なように復号し、表示又は再生を行なう。
【００３６】
表示部１０９に表示された表示例を、図３（ａ）〜（ｄ）に例示する。図３（ａ）〜（ｄ）は、本実施の形態のデジタル放送の放送サービス例を表したものである。
図３（ａ）は、野球中継番組の放送イメージを表したもので、表示部１０９の表示画面２００の中に、映像を表示するための領域２０１と同時に送られてくる試合の途中などを示すデータを表示する領域２０２に分割して表示した例である。この場合、データの内容は、野球中継番組の補完情報のため、番組の進行状況に同期して表示される。
図３（ｂ）は、音楽番組の放送をイメージしたもので、映像を表示する領域２１１に映像を表示し、データを表示する領域２１２に映像に同期して現在、歌っているアーティスト名と曲名をテキストデータにて表示している。この場合のデータ信号も番組の補完情報のため、音楽番組の進行状況に同期して表示される。
図３（ｃ）は、天気予報番組の放送イメージを示したもので、映像を表示するための領域２２１に映像を、データを表示する領域２２２にテキストデータで天気予報情報を表示する。この場合のデータの内容は天気予報番組の進行とは必ずしも同期する必要がなく、独立した情報のため、全国の天気予報情報を一度に受信してテキストデータとして表示してもよい。
図３（ｄ）は、ニュース番組の放送イメージを示したもので、現在説明している映像を領域２３１に表示し、データを表示する領域２３２には、そのニュース番組で放送するニュースの一覧が表示される。この場合のデータの内容も番組の進行とは必ずしも同期する必要がなく、独立した情報のため、ニュースキャスターがニュースの説明をする前に表示しておいてもよい。
【００３７】
このように、図３（ａ）〜（ｄ）の例示は、表示部１０９の上半分の領域に映像信号復号部１０７からの映像が表示され、下半分の領域にデータ信号処理部１０８からのデータが表示されている。
データ信号について、デジタル放送では、（１）視認中の放送サービスに関係したものである場合と、（２）それ以外、たとえば、デジタル放送受信装置のソフトウェア更新（アップデート）用のダウンロード等の機能サービスである場合の２種類に大別できる。なお、機能サービスのデータ信号の場合にはこの限りではなく、指定された内容に従って、動作をすべきである。
また、放送サービスにおけるデータ信号については、文字情報、図形情報、静止画、動画、音声等の情報が含まれるので、データ信号処理部１０８において、それぞれに適した復号手段で復号する。
【００３８】
デジタル放送受信装置における記録
放送受信機能付携帯電話装置１００のデジタル放送受信装置をデジタル放送の記録装置として使用する場合について述べる。
放送受信機能付携帯電話装置１００に搭載した記録手段１１７は、内蔵固定型で取り外し交換できない場合と、自在に取り外し交換可能な場合との両形態があるが、本実施の形態においては、いずれの形態でもよい。以下、記録手段１１７を交換可能なカード型不揮発性メモリを用いた場合について例示する。
【００３９】
放送における番組種別は、スポーツ、音楽、ドラマ、映画、ニュース、バラエティ、アニメなど多様化してはいるが、映画やドラマ、アニメなど筋だって視聴しないと内容が分からないものもあれば、スポーツやニュースなど結果のみを見れば、途中経過は見なくともよいものもある。
スポーツなどの番組放送においては、試合の開始から終了まで長時間継続して見ていなくとも、試合結果のみを分かれば大半の視聴者は満足するものであり、逆に試合結果を記録できないと大きな不満となるケースが多い。
また、音楽番組放送などは、記録された音を後で聞く場合に、必ずしも演奏している映像を必要としないケースも考えられ得る。
このように、放送の番組種別によって、放送全てを記録する必要があるものと無いものに分かれることは上述した。
また、映像、音声と同時にデータが放送されている場合には、データは映像、音声の補完的役割をなしていることより、たとえば、野球中継の得点経過など、データ放送については、放送されているデータ信号を常に記録手段１１７に記録している必要はない。
上記の事情に鑑み、本実施の形態においては、ユーザの希望と目的に応じて、記録手段１１７に記録する形式を、記録形式選択手段１１６を設けて、選択可能にした。
【００４０】
図４（ａ）〜（ｄ）に、トランスポートストリーム（ＴＳ）信号から選択する信号例を示した。図４（ａ）はデータ信号のみを選択し、記録手段１１７に記録する場合の例を示しており、図４（ｂ）は選択した音声信号とデータ信号とを別々のファイル（音声ファイルとデータファイル）として記録する場合を示しており、図４（ｄ）は選択した音声信号とデータ信号とを１つのファイルとして記録する場合を示している。
以下、本発明の実施の形態に関連づけて、具体的に述べる。
【００４１】
第１例
図４（ａ）に示した例は、データ信号のみを選択出力するように指定したフィルタを介してトランスポートストリーム（ＴＳ）からデータ信号のみを記録する１例を示している。
【００４２】
第２例
図４（ｃ）に示した例は、記録されているトランスポートストリーム（ＴＳ）から、音声信号とデータ信号のみを選択出力するように指定したフィルタを介して音声信号とデータ信号のみを再生する例を示している。
なお、音声信号はリアルタイムに出力されるが、データ信号の一構成は複数のパケット（信号）により構成されるため、必要なパケット（信号）がそろって表示される。
【００４３】
第３例
図４（ｂ）は放送波に含まれるトランスポートストリーム（ＴＳ）からそれぞれの信号をそれぞれのファイルに記録している例を示している。このファイルは関連づけて保存されており、一方のファイルを指定すれば他方のファイルも再生することができる。
【００４４】
第４例
図４（ｄ）に示した例は、データ信号と音声信号のみを選択出力するように指定したフィルタを介して放送波に含まれるトランスポートストリーム（ＴＳ）からデータ信号と音声信号からなるファイル（トランスポート形式）として記録する１例を示している。
【００４５】
第５例
図４（ｂ），（ｄ）に示したファイルは後述実施の形態において、指定した信号を再生したり削除したりできる。
【００４６】
第６例
映像信号がマルチチャンネル（マルチアングル）に対応して複数の映像信号を記録している場合も、チャンネルを指定して再生または削除できる。また、副音声も副音声だけの再生も削除も上記同様である。
なお、上記の例において制御情報等は省略している。
【００４７】
ユーザは操作部１１５を用いて、チャンネル、記録開始時間と記録終了時間、記録すべき対象（形式）、たとえば、図４（ａ），（ｂ），（ｄ）に例示したように、映像信号のみか、音声信号のみか、データ信号のみか、あるいは、映像信号、音声信号およびデータ信号のどの組み合わせなどの記録形式を指定する。その内容が記録手段１１７に保存される。なお、記録開始時間と、記録終了時間は、たとえば、ユーザが開始を指定した時間から終了を指定した時間までとすることができるし、後述するように、予約記録時間を用いることができる。また、番組を選択することにより決定されるものでもよい。
制御部１１２と記録形式選択手段１１６とが協動して、形式指定された記録形式に応じて、チューナー部１０２で選局させ、チューナー部１０２で選局されたチャンネルの放送内容についてＴＳ分離部１０５で分離した音声信号、映像信号、データ信号のいずれか、または、その組み合わせを選択して、記録手段１１７に記録する。
すなわち、ユーザが操作部１１５を操作して、選局した放送番組について、映像信号、音声信号、データ信号のうち、どれを記録するかを選択すると、制御部１１２がその選択操作内容を検出し、選択された内容を記録形式選択手段１１６に設定する。
記録形式選択手段１１６は、制御部１１２と協動して、選択された内容（映像信号、音声信号、データ信号）を、たとえば、パケット単位で記録手段１１７へ書き込む。これにより、記録手段１１７に選択された種類のパケット単位の信号を記録することが可能になる。
なお、本実施の形態においては、記録手段１１７に記録する信号は受信したままの信号形態（選択した場合、不要な信号は除かれる）であるから、記録手段１１７における記録処理の負荷は少なくて済む。
又、時間多重等により記録しているので個々に選択可能である。
【００４８】
次に本発明における記録手段１１７の記憶容量の１例について説明する。
たとえば、圧縮符号化された音声信号が９６ｋｂｐｓ、データ信号が３２ｋｂｐｓ、圧縮符号化された映像信号が２５６ｋｂｐｓで構成されたトランスポートストリーム（ＴＳ）が３８４ｋｂｐｓのストリームで放送されていると仮定する。
（１）放送されている番組が音楽番組で、ユーザが圧縮符号化された音声信号だけを記録手段１１７に記録すればよいと希望する場合には、記録手段１１７において同一番組を同一時間記録するための記録容量としては、圧縮符号化された映像信号と圧縮符号化された音声信号とデータ信号との全ての信号を記録手段１１７に記録した場合と比較して、１／４の記録容量で済む。
（２）ニュース番組等で、ユーザがその時に放送されるニュースのトピックスをだけを記録すればよいと希望する場合は、記録手段１１７には、たとえば、図４（ａ）に例示したように、データ信号のみ記録手段１１７に記録すれば良いため、上記全ての信号を記録する場合と比較して、１／１２の記録容量で済む。
（３）音楽番組で図４（ｂ）又は（ｄ）に例示したように、ユーザが音声信号とデータ信号とを記録することを希望した場合においても、上記全ての信号を記録した場合の１／３の記録容量で済む。
【００４９】
上述したように、必要な信号だけを選択して記録手段１１７に記録するように構成することにより、大幅にメモリ容量を削減することができる。また、記録手段１１７として一般的に使用される不揮発性メモリなどの半導体メモリを用いた場合、そのデータアクセス時に大量の電流を消費するので、上記のように、記録するデータ記録容量を低減することによって、消費電力の低減にもなる。その結果、放送受信機能付携帯電話装置１００のバッテリの寿命も長くなる。
【００５０】
デジタル放送受信装置における記録されたデータの再生
上記のごとく記録手段１１７に記録したデータを再生するには、再生手段１１８を用いる。再生手段１１８は制御部１１２と協動して下記の処理を行う。
ユーザは操作部１１５を用いて、記録手段１１７に記録されたデータの履歴リストを表示部１０９に表示させる。このとき、再生手段１１８は、記録手段１１７に記録されている記録リストを表示部１０９に表示する。なお、この表示に際して、表示部１０９の画面のサイズの制約で一度に全ての履歴リストを表示できないときは、スクロール処理などで表示させる。
ユーザは表示部１０９に表示されたリストから自分が希望するものを選択する。
再生手段１１８は選択されたデータを記録手段１１７から読みだして、映像信号は映像信号復号部１０７に、音声信号は音声信号復号部１０６に、データ信号はデータ信号処理部１０８に出力する。
以上により、記録手段１１７に記録された信号のうち、希望するものが表示部１０９、スピーカ１１０から出力される。
なお、再生例については上述の第２例及び図４（ｃ）に示している。
【００５１】
デジタル放送受信装置における記録されたデータの消去
上記のごとく記録手段１１７に記録したデータを消去するには、消去手段１１９を用いる。消去手段１１９は制御部１１２と協動して下記の処理を行う。
ユーザは操作部１１５を用いて、記録手段１１７に記録されたデータ信号の履歴リストを表示部１０９に表示させる。このとき、消去手段１１９は、記録手段１１７に記録されている記録リストを表示部１０９に表示する。なお、この表示に際して、表示部１０９の画面のサイズの制約で一度に全ての履歴リストを表示できないときは、スクロール処理などで表示させる。
ユーザは表示部１０９に表示されたリストから自分が消去を希望する信号を選択する。
消去手段１１９は選択された信号を記録手段１１７から消去する処理を行い、消去された部分を記録可能領域に設定する。
【００５２】
デジタル放送受信装置における記録されたデータの自動消去
なお、上述した消去の他、ニュースなど、即時性、時間的に有効期限のあるものは、所定の時間経過後、自動的に消去させることができる。
【００５３】
デジタル放送受信装置における記録されたデータの優先消去
また、記録手段１１７に記録させるべき内容にクラス（優先度）を付けておき、記録形式選択手段１１６は記録手段１１７に記録すべき容量が不足したとき、より低いクラス（カテゴリでもよい）の信号を消去することを消去手段１１９に指令し、消去手段１１９を介して記録手段１１７に記録すべき領域を確保させた後、記録形式選択手段１１６が選択する信号を記録させることができる。
記録形式選択手段１１６は記録手段１１７に記録領域が確保できたら、上述した信号の記録処理を行う。
【００５４】
なお、制御部１１２、記録形式選択手段１１６、再生手段１１８、消去手段１１９など信号処理を行う部分は、１個のマイクロコンピュータなどで一体的に構成することができる。
【００５５】
このように、本発明の第１実施の形態によれば、低消費電力で、かつ、記録手段１１７の記憶容量を削減することができるデジタル放送受信装置をできる。
したがって、本発明のデジタル放送受信装置は、より小型、軽量で、携帯性に富み、携帯電話装置と有機的に一体的に構成する点において融和性があり、移動体用の装置に適用することに効果を有する。
よって、携帯電話装置にデジタル放送受信装置を組み込むことにより、より利便性と資源の活用が向上する。
【００５６】
第２実施の形態
図５を参照して本発明の第２実施の形態を述べる。
図５は図３（ｃ）、（ｄ）のようなニュース番組のデータ放送を間欠的に受信、記録する場合の一例を示したタイミング図である。
通常、天気予報などの番組はニュース番組の一部として取り扱われることが多いため、図５に示すような形態の放送となる。
Δｔ（秒）の間隔で、周期的かつ間欠的に受信を行なう場合、最初の受信時には、番組に関して何も記録されていないために、記録手段１１７は領域２３２に表示可能な全てのデータ信号を記録手段１１７に記録する。
ニュース番組などの放送の場合に、放送されているデータ信号は、ある一定時間内においては、同じデータ信号が繰り返し放送されるため、同一のデータ信号を記録手段１１７に記録する必要はない。
大抵の放送の場合には、番組の進行状況とともにデータ信号の内容が変化するために、ユーザによって操作部１１５を介して、図４（ａ）に示したような、データ信号のみを記録する形式が選択された場合には、デジタル放送を受信するための手段である、チューナー部１０２からＴＳ分離部１０５までを常に動作させておく必要はなく、これらを一定時間毎に動作させて文字などの表示を構成できる分のデータ信号を受信し、記録形式選択手段１１６は、記録手段１１７に記録した前回のデータ信号と比較して、データ信号の内容に変化があれば、記録手段１１７に記録する。
【００５７】
前述した通り、ニュース番組におけるデータ信号の内容は、番組進行とは独立した情報のために、２回目以降は、その内容が異なる場合のみ記録動作を行なうので、次の全国の天気が放送されるまでは、間欠的に受信を行なうがデータ信号の内容に変化がないため、記録手段１１７への記録動作は行なわなくて済む。
全国の天気が放送された時点で、データ信号の内容も変化するため、新たに、領域２２２に表示可能なデータを記録する。
このように、記録形式選択手段１１６で記録手段１１７に、図４（ａ）に示したような、データ信号だけを記録する場合には、チューナー部１０２〜ＴＳ分離部１０５において間欠的に受信動作を行い、記録手段１１７に記録することにより、受信動作時以外は、記録手段１１７における消費電流を大きく抑えることができるため、消費電力の削減を図ることができ、しかも、放送内容は記録することが可能となる。
【００５８】
第３実施の形態
図６は、本発明のデジタル放送受信装置の第３実施の形態として、図１に図解した放送受信機能付携帯電話装置１００に予約記録設定手段を設けた放送受信機能付携帯電話装置１００Ａの構成図である。
図１に図解した放送受信機能付携帯電話装置１００と比較すると、図６の放送受信機能付携帯電話装置１００Ａには、予約記録設定手段４０１、番組種別判定手段４０２、ＲＡＭ１２１に記録された電子番組表データ４０３が付加されている。その他の構成は、放送受信機能付携帯電話装置１００と同じである。放送受信機能付携帯電話装置１００と同じ符号が付されている部分は、放送受信機能付携帯電話装置１００における対応する部分と同様に機能する。
なお、予約記録設定手段４０１、番組種別判定手段４０２を制御部１１２と一体構成させることもできる。
【００５９】
放送受信機能付携帯電話装置１００Ａにおいて、電子番組表データ４０３が事前にＲＡＭ１２１に記憶されているものとする。
操作部１１５をユーザが操作することにより、番組の予約記録を行なう場合、番組種別判定手段４０２が、予約された番組の情報を放送受信機能付携帯電話装置１００ＡのＲＡＭ１２１に記録されている電子番組表データ４０３と照合をし、その番組種別がニュース等のように、映像と同期していない独立した信号をデータ信号として放送している番組である場合、または、スポーツ番組のようにデータ信号は番組補完情報であるが、補完情報をみるだけで、その結果、経過がわかる番組である場合には、記録手段１１７に、図４（ａ）に示したように、データ信号のみを記録するように予約記録設定手段４０１へ設定する。
予約記録設定手段４０１は、設定された時間になると制御部１１２へ通知を行ない、制御部１１２は予約情報を予約記録設定手段４０１から読み出し、予約されている番組（チャンネル）へチューナー部１０２を調整し、記録形式選択手段１１６に対してデータ信号のみを記録するように指示を行う。記録形式選択手段１１６は指示された内容に従い、データ信号のみを記録手段１１７に記録させる。
このように、記録手段１１７には、予約された番組の種別により、データパケットのみが記録されることで、その記録容量を削減することが可能になる。
【００６０】
番組種別判定手段４０２が、予約設定された番組に対し、データ信号のみ記録すればよいかを判定するにあたっては、たとえば、ARIB  STD-B10 デジタル放送に使用する番組配列情報に記載されるような、コンテント記述子における、ジャンル大分類及び中分類によって判定を行なう。
一例としては、ジャンル大分類が「ニュース／報道」「スポーツ」「情報／ワイドショー」であった場合や、ジャンル大分類が「趣味／教育」でジャンル中分類が「会話・語学」「幼児・小学生」「中学生・高校生」「大学生・受験」「生涯教育・資格」などであった場合にデータパケットのみで有用と判定する。
【００６１】
また、記録予約された番組のジャンル大分類が「スポーツ」でジャンル中分類が「野球」「サッカー」「ゴルフ」等のように、結果が分かれば済むようなものの場合には、第２実施の形態のデジタル放送受信装置と同様、データ信号を間欠的に受信し、最後のデータを記録することにより結果のみをデータ信号として記録することで、記録手段１１７における消費電力と記録容量を大幅に削減することが可能となる。
【００６２】
図７（ｂ）は、図３（ａ）に示す放送内容を間欠的に受信、記録する例である。
この場合には、番組予約時に放送時間が判明しているため、放送時間終了数分前から間欠受信を開始すればよい。一般にスポーツ番組の場合には、リアルタイムでの放送が多いため、放送終了時間が予定に対して前後する場合が多い。但し、試合中継が早めに終了するような場合には、番組枠の関係から引き続き試合結果の解説やインタビューなどを行なう場合が殆どのため、予定に対して早く放送が終了することは殆どないため、放送時間終了数分前より放送終了までを間欠受信すればよいことになる。
また、野球、サッカーなどスポーツ中継の場合には、その殆どが１時間以上の番組（多くは２時間程度）のため、全てを受信するためには、多くの電力を必要として、電池の消耗が激しい。このようにスポーツ中継などを放送受信機能付携帯電話装置１００のデジタル放送受信装置で記録する場合には、試合終了直前（番組の最後近辺）から間欠的に受信、記録することが、記録手段１１７の記録容量の削減と消費電力の削減に不可欠になる。
【００６３】
第４実施の形態
図８は本発明のデジタル放送受信装置の第４実施の形態として、図６に図解した放送受信機能付携帯電話装置１００Ａにメモリ容量判定手段６０１と記録容量計算手段６０２とを設けた放送受信機能付携帯電話装置１００Ｂの構成図である。
図８の放送受信機能付携帯電話装置１００Ｂにおいて、図６の放送受信機能付携帯電話装置１００Ａと同じ符号が付されている部分は、放送受信機能付携帯電話装置１００Ａにおける対応する部分と同様に機能する。
なお、メモリ容量判定手段６０１と記録容量計算手段６０２を制御部１１２と一体構成させることもできる。
【００６４】
ユーザが操作部１１５を操作して記録予約を行なった時に、記録容量計算手段６０２は予約された番組情報をＲＡＭ１２１に記録されている電子番組表データ４０３から読み出し、その番組を記録手段１１７に記録するために必要な記憶容量を計算する。
デジタル放送の配信レートは、それぞれの放送形式によって、ほぼ一定のため、記録容量計算手段６０２において、記録に必要な時間から記録に必要な記憶容量を推測することが可能である。
メモリ容量判定手段６０１では、記録容量計算手段６０２で得た予測される記録容量に対して記録手段１１７の残容量を比較し、記録容量が不足している場合、ユーザが映像信号、音声信号、データ信号の全てを記録したいと設定した場合においても、番組種別が前述した通り、スポーツ番組など結果を記録すれば済むような番組の場合には、前述の方法と同じ様に放送終了数分前より間欠受信を行い、データ信号についてのみを記録することにより、記録手段１１７の残記憶容量が少ない場合においても所望の結果が得られる記録を行なうことが可能になる。
【００６５】
第５実施の形態
上述した放送受信機能付携帯電話装置１００〜１００Ｂの動作の説明において、携帯電話装置が動作しない場合について述べた。
携帯電話装置を電源オフ状態、または、留守番モードにしておいた場合は、共用する、表示部１０９、スピーカ１１０に競合は起こらず、問題はない。
しかしながら、携帯電話装置を待ち受け状態にしており、デジタル放送受信装置を動作させておいて、表示部１０９とスピーカ１１０とを使用しているとき、相手から電話がかかってきたり、メールが届いた時に、表示部１０９とスピーカ１１０との競合が起こる可能性がある。
そこで、第５実施の形態においては、ユーザの指定により、優先順位を設定可能とした。ユーザは操作部１１５を介して、携帯電話装置をデジタル放送受信装置より優先させるか、デジタル放送受信装置を携帯電話装置より優先させるかを制御部１１２に設定する。設定結果はＲＡＭ１２１に記録される。
【００６６】
（１）携帯電話装置をデジタル放送受信装置に優先させた場合
デジタル放送受信装置を使用して、希望するチャンネルの放送内容を表示部１０９およびスピーカ１１０で視聴しながら、記録手段１１７にデータを記録しているとき、携帯電話装置に発呼が起きたとき、制御部１１２は、表示部１０９には携帯電話装置の内容を表示させ、スピーカ１１０からリンガー音などを発生させる。ユーザがオフフックすれば、ＭＩＣ１１１をも使用して携帯電話装置として使用可能となる。このとき、表示部１０９、スピーカ１１０はデジタル放送受信装置用には使用出来なくなるが、記録形式選択手段１１６を介して記録手段１１７には必要な信号が記録できる。
携帯電話装置の通話が終了してオンフック状態になったとき、制御部１１２は、携帯電話装置を待ち受け状態にして、デジタル放送受信装置の動作を復活させ、表示部１０９、スピーカ１１０から再生した映像と音を出力させる。
【００６７】
（２）携帯電話装置よりデジタル放送受信装置を優先させた場合
制御部１１２は、携帯電話装置の基地局に対して、携帯電話装置が使用できない状態であること、たとえば、電源オフ状態、留守番電話状態に相当するモードを通報する。
デジタル放送受信装置を使用して、希望するチャンネルの放送内容を表示部１０９およびスピーカ１１０で視聴を行い、必要に応じて記録手段１１７にデータを記録する動作が終了した後、制御部１１２は、発呼があったか否かを確認し、発呼があった場合には、表示部１０９にその表示を行う。
【００６８】
（３）デジタル放送受信装置の動作内容に応じて携帯電話装置を優先させる場合
上記（１）、（２）の他に、デジタル放送受信装置の動作内容に応じて、携帯電話装置の動作を優先させることができる。
たとえば、音楽鑑賞とか緊迫した格闘技の方法の場合は、携帯電話装置の動作で音楽鑑賞とか格闘技の放送を中断されたくない。他方、連続ドラマ放送の場合などにおいては、携帯電話装置を優先する場合が多い。
したがって、電子番組表データ４０３等を利用して予約を行うときに、携帯電話装置を優先するか、デジタル放送受信装置を優先するかを付記しておき、ＲＡＭ１２１に記録させておき、制御部１１２はＲＡＭ１２１に記録された内容に応じて、競合する２つの動作（着信処理）を選択することができる。
【００６９】
また、上記実施の形態以外にも、例えば放送波の感度を検出し、感度が所定値（映像や音声を安定して受信できない状態）を満たさない場合に、データ信号の記録形式に切替えるようにしても良い。このように構成することにより、移動体に搭載されて受信場所（受信感度）が時々刻々と変化する場合でも、最低限必要な情報を記録することが出来る。尚、データ放送は繰返し同じデータを放送しているので、映像や音声に比べて間欠的な記録になっても必要な情報を得ることが出来る。
また、電話機に用いるデータを記録する記録手段はデータ種別毎にフォルダ分されているため、放送波を記録する記録手段を前記電話機に用いるデータを記録する記録手段と兼用した場合、例えば映像信号と音声信号を含んで構成されたファイルはムービーフォルダに記録されるが、このファイルから映像信号を選択して削除した場合、その削除後のファイルをサウンドフォルダに移動しても良い。このように構成することにより、削除後のファイルがどの信号を含んでいるのかを識別することが容易になる。
【００７０】
本発明の実施に際しては、上述した各実施の形態を適宜組み合わせることができる。
また、上述した実施の形態は本発明の例示にすぎず、本発明が上述した実施の形態に限定されるわけではない。
【図面の簡単な説明】
【００７１】
【図１】図１は本発明のデジタル放送受信装置の第１実施の形態として、携帯電話装置とデジタル放送受信装置を統合した場合の装置（放送受信機能付携帯電話装置）の構成図である。
【図２】図２はトランスポートストリーム（ＴＳ）信号の１例を示す図である。
【図３】図３（ａ）〜（ｄ）は、図１に図解した放送受信機能付携帯電話装置に適用されるデジタル放送の放送例を示す図である。
【図４】図４（ａ）〜（ｄ）はトランスポートストリーム（ＴＳ）から選択する信号例を示す図である。
【図５】図５は本発明の第２実施の形態の放送受信機能付携帯電話装置における、放送番組を間欠的に受信し、記録する動作を説明する図である。
【図６】図６は本発明の第３実施の形態として予約記録設定手段を設けた放送受信機能付携帯電話装置の構成図である。
【図７】図７は本発明の第３実施の形態の放送受信機能付携帯電話装置における間欠的に放送を受信し、記録する動作を説明する図である。
【図８】図８は本発明の第４実施の形態の放送受信機能付携帯電話装置におけるメモリ容量判定手段を設けた携帯電話装置の構成図である。
【図９】図９は想定した従来技術における放送受信装置の構成図である。
【符号の説明】
【００７２】
１００、１００Ａ、１００Ｂ…放送受信機能付携帯電話装置
１０１…デジタル放送受信用アンテナ、１０２…チューナー部
１０３…復調部、１０４…デスクランブラ、１０５…ＴＳ分離部
１０６…音声信号復号部、１０７…映像信号復号部
１０８…データ信号処理部、１０９…表示部、１１０…スピーカ
１１１…マイクロフォン（ＭＩＣ）、１１２…制御部、
１１３…携帯電話用アンテナ、１１４…無線通信部、
１１５…操作部、１１６…記録形式選択手段
１１７…記録手段、１１８…再生手段、１１９…消去手段
１２６…カメラ部分
１００Ａ…放送受信機能付携帯電話装置
４０１…予約記録設定手段、４０２…番組種別判定手段
４０３…電子番組表データ
１００Ｂ…放送受信機能付携帯電話装置
６０１…メモリ容量判定手段、６０２…記録容量計算手段
【図１】
2006014224.tif 000003
【図２】
2006014224.tif 000004
【図３】
2006014224.tif 000005
【図４】
2006014224.tif 000006
【図５】
2006014224.tif 000007
【図６】
2006014224.tif 000008
【図７】
2006014224.tif 000009
【図８】
2006014224.tif 000010
【図９】
2006014224.tif 000011